【手続補正書】
【提出日】平成28年6月24日(2016.6.24)
【手続補正１】
【補正対象書類名】特許請求の範囲
【補正対象項目名】全文
【補正方法】変更
【補正の内容】
【特許請求の範囲】
【請求項１】
−  式（Ｉ）：
【化１】
2015526545.tif 000001
［式中、
Ｘは酸素原子又は硫黄原子、好ましくは酸素原子であり、
Ｒ１、Ｒ２、及びＲ３のうちの少なくとも１つは、同一又は異なり、Ｐに直接結合する、又はＣ１〜Ｃ２０アルキレンを介してＰに結合する重合性基を表し、前記Ｃ１〜Ｃ２０アルキレンのうちの１つ又はいくつかの炭素原子は、
−Ｏ−、−Ｓ−、−ＮＨ−、又は−ＮＲ−（式中、Ｒは、Ｃ１〜Ｃ１０アルキル基である）、
ハロゲン原子、Ｃ１〜Ｃ６アルキル、Ｃ１〜Ｃ６アルコキシ、又はＣ１〜Ｃ６アルキルチオから独立して選択される１〜４個の基で置換されていてもよい、５〜９個の炭素原子を含む２価のモノシクロアルキル又はビシクロアルキル、又は、
ハロゲン原子、Ｃ１〜Ｃ６アルキル、Ｃ１〜Ｃ６アルコキシ、又はＣ１〜Ｃ６アルキルチオから独立して選択される１〜４個の基で置換されていてもよい、フェニル又はナフチル、で置き換えられることができ、
且つ、Ｒ１、Ｒ２、及びＲ３のうちのその他のものは、同一又は異なり、水素原子、Ｃ１〜Ｃ１０アルコキシ、Ｃ１〜Ｃ１０アルキルチオ、フェニル、アリールオキシ、アリールチオ、アリールＣ１〜Ｃ１０アルキルオキシ、又はアリールＣ１〜Ｃ１０アルキルチオを表す］
のモノマー；又は、
−  一緒に反応して式（Ｉ）のモノマーを形成することができる２つの異なるモノマーＭ１及びＭ２の混合物（Ｍ１、Ｍ２、又はＭ１及びＭ２の両方は、Ｐ＝Ｘ基を含み、且つ、Ｍ１及びＭ２は、一緒に反応してポリマーを形成することができる基を更に含む）
を含む液状モノマー組成物と、
−  前記液状モノマー組成物において均一に分散される鉱物ナノ粒子と、
を含む液状重合性組成物。
【請求項２】
前記鉱物ナノ粒子は、ＺｎＳ、ＺｒＯ２、ＴｉＯ２、又はＢａＴｉＯ３から選択される、請求項１に記載の液状重合性組成物。
【請求項３】
前記重合性基は、ビニル、アリル、イソシアネート、チオイソシアネート、アクリレート、チオアクリレート、メタクリレート、チオメタクリレート、エーテル、チオエーテル、アルコール、エポキシ、チオール、及びエピスルフィド、好ましくはアクリレート、メタクリレート、エピスルフィド、又はチオールからなる群から選択される、請求項１又は２に記載の液状重合性組成物。
【請求項４】
前記Ｒ１、Ｒ２、及びＲ３のうちのその他のものは、重合性基を有さず、同一又は異なり、フェニル、アリールオキシ、アリールチオ、アリールＣ１〜Ｃ１０アルキルオキシ、又はアリールＣ１〜Ｃ１０アルキルチオを表す、請求項１〜３のいずれか一項に記載の液状重合性組成物。
【請求項５】
前記ホスフィンオキシドモノマーは、式（Ｉａ）：
【化２】
2015526545.tif 000002
［式中、
Ｒ１ａ、Ｒ２ａ、及びＲ３ａのうちの少なくとも１つは、同一又は異なり、
−（Ｒ４）ｎ−Ｘ−（Ｒ５−Ｙ）ｍ−（Ｒ６）ｐ−Ｑ
〔式中、
Ｒ４、Ｒ５、及びＲ６は、同一又は異なり、Ｃ１〜Ｃ６アルキレン基を表し、そのうちの１つ又はいくつかの炭素原子は、フェニレン基と置き換えられることができ、
Ｘ及びＹは、同一又は異なり、Ｏ、Ｓ、又は−ＮＲ−（式中、ＲはＣ１〜Ｃ６アルキル基である）を表し、
ｎ、ｍ、及びｐは、同一又は異なり、０〜４の、好ましくは０〜２の、より好ましくは０又は１の整数を表し、
Ｑは、好ましくは、アクリレート、メタクリレート、エピスルフィド、又はチオールから選択される重合性基を表す〕
を表し、
且つ、Ｒ１ａ、Ｒ２ａ、及びＲ３ａのうちのその他のものは、同一又は異なり、水素原子、フェニル、Ｃ１〜Ｃ６アルコキシ、Ｃ１〜Ｃ６アルキルチオ、アリールオキシ、アリールチオ、アリールＣ１〜Ｃ６アルコキシ、又はアリールＣ１〜Ｃ６アルキルチオを表す］
である、請求項１〜４のいずれか一項に記載の液状重合性組成物。
【請求項６】
式（Ｉａ）の前記ホスフィンオキシドは、
【化３】
2015526545.tif 000003
【化４】
2015526545.tif 000004
【化５】
2015526545.tif 000005
からなる群から選択される、請求項１〜５のいずれか一項に記載の液状重合性組成物。
【請求項７】
前記ナノ粒子は、１つ以上のチオール含有化合物で被覆されたＺｎＳナノ粒子から選択される、請求項１〜６のいずれか一項に記載の液状重合性組成物。
【請求項８】
前記ＺｎＳナノ粒子は、メルカプトエタノール、チオフェノール、メルカプトフェノール、又はそれらの混合物で被覆されている、請求項７に記載の液状重合性組成物。
【請求項９】
ＺｎＳの前記ナノ粒子は、３〜１０ｎｍの結晶の大きさを有し、且つ、前記チオール含有化合物で被覆されたＺｎＳの前記ナノ粒子の粒径は４〜８０ｎｍである、請求項７または８に記載の液状重合性組成物。
【請求項１０】
前記重合性組成物における前記鉱物ナノ粒子の量は、前記液状重合性組成物の総重量に基づいて、５〜５０％ｗ／ｗ、好ましくは１０〜４０％ｗ／ｗ、より好ましくは３０〜３５％ｗ／ｗである、請求項１〜９のいずれか一項に記載の液状重合性組成物。
【請求項１１】
請求項１〜１０のいずれか一項に記載の液状組成物で被覆された光学基材。
【請求項１２】
請求項１〜１０のいずれか一項に記載の液状組成物が硬化された光学物品。
【請求項１３】
（ｃ）光学基材と、
（ｄ）請求項１〜１０のいずれか一項に記載の液状重合性組成物の熱及び／又は紫外線硬化によって得られる被覆と、
を含む光学物品。
【請求項１４】
−  式（Ｉ）：
【化６】
2015526545.tif 000006
［式中、
Ｘは酸素原子又は硫黄原子、好ましくは酸素原子であり、
Ｒ１、Ｒ２、及びＲ３のうちの少なくとも１つは、同一又は異なり、Ｐに直接結合する、又はＣ１〜Ｃ２０アルキレンを介してＰに結合する重合性基を表し、前記Ｃ１〜Ｃ２０アルキレンのうちの１つ又はいくつかの炭素原子は、
−Ｏ−、−Ｓ−、−ＮＨ−、又は−ＮＲ−（式中、Ｒは、Ｃ１〜Ｃ１０アルキル基である）、
ハロゲン原子、Ｃ１〜Ｃ６アルキル、Ｃ１〜Ｃ６アルコキシ、又はＣ１〜Ｃ６アルキルチオから独立して選択される１〜４個の基で置換されていてもよい、５〜８個の炭素原子を含む２価のモノシクロアルキル又はビシクロアルキル、又は、
ハロゲン原子、Ｃ１〜Ｃ６アルキル、Ｃ１〜Ｃ６アルコキシ、又はＣ１〜Ｃ６アルキルチオから独立して選択される１〜４個の基で置換されていてもよい、フェニル又はナフチル、で置き換えられることができ、
且つ、Ｒ１、Ｒ２、及びＲ３のうちのその他のものは、同一又は異なり、水素原子、Ｃ１〜Ｃ１０アルコキシ、Ｃ１〜Ｃ１０アルキルチオ、フェニル、アリールオキシ、アリールチオ、アリールＣ１〜Ｃ１０アルキルオキシ、又はアリールＣ１〜Ｃ１０アルキルチオを表す］
のモノマー；又は、
−  一緒に反応して式（Ｉ）のモノマーを形成することができる２つの異なるモノマーＭ１及びＭ２の混合物（Ｍ１、Ｍ２、又はＭ１及びＭ２の両方は、Ｐ＝Ｘ基を含み、且つ、Ｍ１及びＭ２は、一緒に反応してポリマーを形成することができる基を更に含む）
を含む液状モノマー組成物の熱及び／又は紫外線硬化によって得られる高分子材料の屈折率を増加させるための、鉱物ナノ粒子の使用であって、前記鉱物ナノ粒子が、前記液状モノマー組成物中に均一に分散される、鉱物ナノ粒子の使用。
【請求項１５】
前記鉱物ナノ粒子は、ＺｎＳ、ＺｒＯ２、ＴｉＯ２、又はＢａＴｉＯ３から選択される、請求項１４に記載の使用。